(57)【要約】【課題】  レーザ光の漏れを阻止し不快な振動音を生じさせないようにする。【解決手段】  遮蔽板１６をローダーシャーシ２の上方から降下させることにより、各ガイド孔２５を各位置決めピン２４に嵌合させて遮蔽板１６をローダーシャーシ２の両側板２ａ上に載置し、その各位置決めピン２４に沿って遮蔽板１６を前方ａにスライドさせることにより、各柱状体２２で各舌片２３の抜止部２３ｃを押し下げて該各柱状体２２を各舌片２３に弾性的に係合させ、これによって、遮蔽板１６をローダーシャーシ２の両側板２ａに弾性的に押し付けて係止すると同時に、その遮蔽板１６の先端縁１６Ａを横桁１２の下にもぐり込ませる。【選択図】        図６
2008108348.tif 000002
【特許請求の範囲】
【請求項１】
ローダーシャーシ内の前方にターンテーブルが配置されると共に、該ローダーシャーシ
内の後方に光ピックアップが移動可能に配置され、前記ターンテーブルに対向してローダ
ーシャーシの両側板間に横桁が架設され、該横桁の中央にクランパを一定範囲内昇降可能
に収納するクランパ収納部が一体形成され、その横桁に隣接して前記光ピックアップに対
向する遮蔽板がローダーシャーシの両側板間に載置されており、前記クランパとターンテ
ーブルとでディスクをクランプし、ターンテーブルによりディスクを高速回転させると共
に、そのディスクに光ピックアップからレーザ光を投射し、その反射光に基づいてディス
クに記録されている情報を読み取るようにしたディスク装置において、前記ローダーシャ
ーシが合成樹脂により成形されてその各側板の外側面に複数の柱状体が前後方向に沿って
所定間隔をおいて一体突設され、前記遮蔽板が板金成形されてその両側縁に弾性変位可能
な複数の舌片が切り残され、該各舌片が、遮蔽板から下方に略直角に折り曲げた縦板と、
該縦板の端縁から前方に略直角に折り曲げた横板とにより略Ｌ字状に形成され、該横板の
先端部を上方に向けて突出するように略円弧状に折り曲げて抜止部が形成され、前記ロー
ダーシャーシの各側板の上面に位置決めピンが一体突設されると共に、遮蔽板の両側縁に
長孔状ガイド孔が前後方向に沿って貫設されており、該各ガイド孔を各位置決めピンに嵌
合させて遮蔽板をローダーシャーシの両側板上に載置し、その各位置決めピンに沿って遮
蔽板を前方にスライドさせることにより、各柱状体で各舌片の抜止部を押し下げて該各柱
状体を各舌片に弾性的に係合させ、これにより、前記遮蔽板をローダーシャーシの両側板
に弾性的に押し付けて係止すると同時に、その遮蔽板の先端縁を前記横桁の下にもぐり込
ませるようにしたことを特徴とするディスク装置。
【請求項２】
ローダーシャーシ内の前方にターンテーブルが配置されると共に、該ローダーシャーシ
内の後方に光ピックアップが移動可能に配置され、前記ターンテーブルに対向してローダ
ーシャーシの両側板間に横桁が架設され、該横桁の中央にクランパを一定範囲内昇降可能
に収納するクランパ収納部が一体形成され、その横桁に隣接して前記光ピックアップに対
向する遮蔽板がローダーシャーシの両側板間に載置されており、前記クランパとターンテ
ーブルとでディスクをクランプし、ターンテーブルによりディスクを高速回転させると共
に、そのディスクに光ピックアップからレーザ光を投射し、その反射光に基づいてディス
クに記録されている情報を読み取るようにしたディスク装置において、前記ローダーシャ
ーシに被係合部が設けられると共に、前記遮蔽板に係合部が設けられており、該遮蔽板を
ローダーシャーシの両側板上に載置して前方にスライドさせることにより、係合部を被係
合部に係脱可能に係合させ、これにより、前記遮蔽板をローダーシャーシの両側板に係止
すると同時に、その遮蔽板の先端縁を前記横桁の下にもぐり込ませるようにしたことを特
徴とするディスク装置。
【請求項３】
前記被係合部が合成樹脂で成形したローダーシャーシの各側板の外側面に前後方向に沿
って所定間隔をおいて一体突設した複数の柱状体からなり、前記係合部が板金成形した遮
蔽板の両側縁に切り残した弾性変位可能な複数の舌片からなり、該各舌片が、遮蔽板から
下方に略直角に折り曲げた縦板と、該縦板の端縁から前方に略直角に折り曲げた横板とに
より略Ｌ字状に形成され、該横板の先端部を上方に向けて突出するように略円弧状に折り
曲げて抜止部が形成されており、前記遮蔽板をローダーシャーシの両側板上に載置して前
方にスライドさせることにより、各柱状体で各舌片の抜止部を押し下げて該各柱状体を各
舌片に弾性的に係合させ、これにより、前記遮蔽板をローダーシャーシの両側板に弾性的
に押し付けて係止するようにしたことを特徴とする請求項２に記載のディスク装置。
【請求項４】
前記被係合部が合成樹脂で成形したローダーシャーシの各側板の外側面に前後方向に沿
って所定間隔をおいて一体突設した複数の舌片からなり、該各舌片が、ローダーシャーシ
の各側板に一体突設した縦板と、該縦板の上端縁から略直角に折り曲げられて後方に延び
る弾性変位可能な横板とにより略Ｌ字状に形成され、該横板の先端部を下方に向けて突出
するように略円弧状に折り曲げて抜止部が形成され、前記係合部が合成樹脂で成形した遮
蔽板の両側縁に一体突設した複数の柱状体からなっており、前記遮蔽板をローダーシャー
シの両側板上に載置して前方にスライドさせることにより、各柱状体で各舌片の抜止部を
押し上げて該各柱状体を各舌片に弾性的に係合させ、これにより、前記遮蔽板をローダー
シャーシの両側板に弾性的に押し付けて係止するようにしたことを特徴とする請求項２に
記載のディスク装置。
【請求項５】
前記ローダーシャーシの各側板の上面に位置決めピンが一体突設されると共に、遮蔽板
の両側縁に長孔状ガイド孔が前後方向に沿って貫設されており、該各ガイド孔を各位置決
めピンに嵌合させて遮蔽板をローダーシャーシの両側板上に載置し、その各位置決めピン
に沿って遮蔽板を前方にスライドさせるようにしたことを特徴とする請求項２〜４のいず
れかに記載のディスク装置。
【発明の詳細な説明】
【技術分野】
【０００１】
本発明は、ディスク装置（例えばＤＶＤレコーダやＤＶＤプレーヤなど）に関し、特に
、安価な構造でレーザ光の漏れを阻止しディスク回転時に不快な振動音を生じさせないよ
うにしたものである。
【背景技術】
【０００２】
従来、ディスク装置の一例として図９〜図１１に示すものがあり、図９はディスク装置
の平面図、図１０は同縦断面図、図１１は同分解斜視図であって、ディスクＤ載置用トレ
イ１を前後方向ａ，ｂに移動可能に支持する合成樹脂製ローダーシャーシ２内に枢支軸３
を中心に上下動ｃ，ｄ可能なトラバースシャーシ４が配置され、該トラバースシャーシ４
上の後方にガイドレール５を介して対物レンズＯＬ付き光ピックアップ６が移動可能に配
置されると共に、そのトラバースシャーシ４上の前方にターンテーブル７付きスピンドル
モータ８が配置され、ローダーシャーシ２の前部にカムスライダ９が前後方向ａ，ｂとは
直交する左右方向ｅ，ｆに移動可能に配置されると共に、該カムスライダ９のカム溝１０
にトラバースシャーシ４の前面に突設したカムピン１１が嵌入され、ローダーシャーシ２
の両側板２ａ間に横桁１２が架設され、該横桁１２の中央にクランパ１３を収納するクラ
ンパ収納部１４が一体形成されている。
【０００３】
前記光ピックアップ６に対向する合成樹脂製遮蔽板１６が横桁１２に隣接して配置され
、該遮蔽板１６の両側縁に複数（この例では４本）の脚部１６ａが垂設されると共に、該
各脚部１６ａの先端にフック１６ｂが一体突設され、該各フック１６ｂに対向してローダ
ーシャーシ２の各側板２ａの外側面に突条部１７が一体突設され、前記ローダーシャーシ
２の各側板２ａの上面に一体突設したテーパ状突起部１８に対向して遮蔽板１６の両側縁
に嵌合孔１９が貫設されており、各フック１６ｂを突条部１７に係合させると共に、各嵌
合孔１９を各突起部１８に嵌合させることにより、遮蔽板１６がローダーシャーシ２の両
側板２ａ間に載置されている。なお、図１１中、２０は遮蔽板１６の先端縁中央に一体突
設したクランパ押さえ片である。
【０００４】
情報読取手順を説明すると、図１０に実線で示すプレイモードでは、ディスクＤをクラ
ンパ１３とターンテーブル７とでクランプしており、スピンドルモータ８によりターンテ
ーブル７を介してディスクＤを高速回転させ、光ピックアップ６を駆動することにより、
対物レンズＯＬからレーザ光をディスクＤに投射し、その反射光を対物レンズＯＬを通し
て受光し、ディスクＤに記録されている映像情報の再生や録画を行う。
【０００５】
このプレイモードでは、遮蔽板１６により対物レンズＯＬから投射されるレーザ光が外
部に漏れるのを遮断する。
【０００６】
アンローディング信号が入力されると、スピンドルモータ８の駆動を停止させ、光ピッ
クアップ６を最前方ａ位置まで移動させ、カムスライダ９を左方向ｅ（または右方向ｆ）
にスライドさせることにより、カム溝１０及びカムピン１１を介してトラバースシャーシ
４を枢支軸３回りで下動ｃさせ（図１０仮想線参照）、これにより、ディスクＤをトレイ
１上に載置し、該トレイ１を前方ａへ移動させ（図１０仮想線参照）、そのトレイ１上の
ディスクＤを取り外したり新しいディスクＤを載置した後、ローディング信号に基づいて
上記とは逆野手順でプレイモードに戻す。なお、関連する技術として特許文献１に記載し
たものがある。
【特許文献１】特開２００５−３３２５３６号公報
【発明の開示】
【発明が解決しようとする課題】
【０００７】
上記従来の構成では、遮蔽板１６を上方から下降させてローダーシャーシ２に嵌合させ
る構造であるため、その遮蔽板１６と横桁１２との間に隙間α（図９参照）が生じ、その
隙間αからレーザ光が外部に漏れる。
【０００８】
また、各フック１６ｂを突条部１７に嵌合させて遮蔽板１６をローダーシャーシ２から
外れないようにしているだけであるから、プレイモードでスピンドルモータ８を高速駆動
することにより生じた回転力がローダーシャーシ２を介して遮蔽板１６に伝わり、その遮
蔽板１６が微妙に振動して振動音を発生させ、ユーザに不快感を与えていた。
【０００９】
本発明は、上記従来の欠点に鑑み、安価な構造でレーザ光の漏れを阻止しディスク回転
時に不快な振動音を発生させないようにしたディスク装置を提供することを目的としてい
る。
【課題を解決するための手段】
【００１０】
上記目的を達成するため、請求項１に記載の発明は、ローダーシャーシ内の前方にター
ンテーブルが配置されると共に、該ローダーシャーシ内の後方に光ピックアップが移動可
能に配置され、前記ターンテーブルに対向してローダーシャーシの両側板間に横桁が架設
され、該横桁の中央にクランパを一定範囲内昇降可能に収納するクランパ収納部が一体形
成され、その横桁に隣接して前記光ピックアップに対向する遮蔽板がローダーシャーシの
両側板間に載置されており、前記クランパとターンテーブルとでディスクをクランプし、
ターンテーブルによりディスクを高速回転させると共に、そのディスクに光ピックアップ
からレーザ光を投射し、その反射光に基づいてディスクに記録されている情報を読み取る
ようにしたディスク装置において、前記ローダーシャーシが合成樹脂により成形されてそ
の各側板の外側面に複数の柱状体が前後方向に沿って所定間隔をおいて一体突設され、前
記遮蔽板が板金成形されてその両側縁に弾性変位可能な複数の舌片が切り残され、該各舌
片が、遮蔽板から下方に略直角に折り曲げた縦板と、該縦板の端縁から前方に略直角に折
り曲げた横板とにより略Ｌ字状に形成され、該横板の先端部を上方に向けて突出するよう
に略円弧状に折り曲げて抜止部が形成され、前記ローダーシャーシの各側板の上面に位置
決めピンが一体突設されると共に、遮蔽板の両側縁に長孔状ガイド孔が前後方向に沿って
貫設されており、該各ガイド孔を各位置決めピンに嵌合させて遮蔽板をローダーシャーシ
の両側板上に載置し、その各位置決めピンに沿って遮蔽板を前方にスライドさせることに
より、各柱状体で各舌片の抜止部を押し下げて該各柱状体を各舌片に弾性的に係合させ、
これにより、前記遮蔽板をローダーシャーシの両側板に弾性的に押し付けて係止すると同
時に、その遮蔽板の先端縁を前記横桁の下にもぐり込ませるようにしたことを特徴として
いる。
【００１１】
請求項２に記載の発明は、ローダーシャーシ内の前方にターンテーブルが配置されると
共に、該ローダーシャーシ内の後方に光ピックアップが移動可能に配置され、前記ターン
テーブルに対向してローダーシャーシの両側板間に横桁が架設され、該横桁の中央にクラ
ンパを一定範囲内昇降可能に収納するクランパ収納部が一体形成され、その横桁に隣接し
て前記光ピックアップに対向する遮蔽板がローダーシャーシの両側板間に載置されており
、前記クランパとターンテーブルとでディスクをクランプし、ターンテーブルによりディ
スクを高速回転させると共に、そのディスクに光ピックアップからレーザ光を投射し、そ
の反射光に基づいてディスクに記録されている情報を読み取るようにしたディスク装置に
おいて、前記ローダーシャーシに被係合部が設けられると共に、前記遮蔽板に係合部が設
けられており、該遮蔽板をローダーシャーシの両側板上に載置して前方にスライドさせる
ことにより、係合部を被係合部に係脱可能に係合させ、これにより、前記遮蔽板をローダ
ーシャーシの両側板に係止すると同時に、その遮蔽板の先端縁を前記横桁の下にもぐり込
ませるようにしたことを特徴としている。
【００１２】
請求項３に記載の発明は、請求項２に記載の発明において、前記被係合部が合成樹脂で
成形したローダーシャーシの各側板の外側面に前後方向に沿って所定間隔をおいて一体突
設した複数の柱状体からなり、前記係合部が板金成形した遮蔽板の両側縁に切り残した弾
性変位可能な複数の舌片からなり、該各舌片が、遮蔽板から下方に略直角に折り曲げた縦
板と、該縦板の端縁から前方に略直角に折り曲げた横板とにより略Ｌ字状に形成され、該
横板の先端部を上方に向けて突出するように略円弧状に折り曲げて抜止部が形成されてお
り、前記遮蔽板をローダーシャーシの両側板上に載置して前方にスライドさせることによ
り、各柱状体で各舌片の抜止部を押し下げて該各柱状体を各舌片に弾性的に係合させ、こ
れにより、前記遮蔽板をローダーシャーシの両側板に弾性的に押し付けて係止するように
したことを特徴としている。
【００１３】
請求項４に記載の発明は、請求項２に記載の発明において、前記被係合部が合成樹脂で
成形したローダーシャーシの各側板の外側面に前後方向に沿って所定間隔をおいて一体突
設した複数の舌片からなり、該各舌片が、ローダーシャーシの各側板に一体突設した縦板
と、該縦板の上端縁から略直角に折り曲げられて後方に延びる弾性変位可能な横板とによ
り略Ｌ字状に形成され、該横板の先端部を下方に向けて突出するように略円弧状に折り曲
げて抜止部が形成され、前記係合部が合成樹脂で成形した遮蔽板の両側縁に一体突設した
複数の柱状体からなっており、前記遮蔽板をローダーシャーシの両側板上に載置して前方
にスライドさせることにより、各柱状体で各舌片の抜止部を押し上げて該各柱状体を各舌
片に弾性的に係合させ、これにより、前記遮蔽板をローダーシャーシの両側板に弾性的に
押し付けて係止するようにしたことを特徴としている。
【００１４】
請求項５に記載の発明は、請求項２〜４に記載の発明において、前記ローダーシャーシ
の各側板の上面に位置決めピンが一体突設されると共に、遮蔽板の両側縁に長孔状ガイド
孔が前後方向に沿って貫設されており、該各ガイド孔を各位置決めピンに嵌合させて遮蔽
板をローダーシャーシの両側板上に載置し、その各位置決めピンに沿って遮蔽板を前方に
スライドさせるようにしたことを特徴としている。
【発明の効果】
【００１５】
請求項１に記載の発明は第１の実施の形態（図１〜図６参照）に対応するものであって
、これによれば、遮蔽板をローダーシャーシの両側板上に載置して前方にスライドさせる
だけで、該遮蔽板の先端縁を横桁の下にもぐり込ませることができ、これによって、遮蔽
板と横桁との間からレーザ光が漏れるのを確実に阻止することができる。
【００１６】
それと同時に、ローダーシャーシの各柱状体で遮蔽板の各舌片の抜止部を押し下げて該
各柱状体を各舌片に弾性的に嵌合させ、これによって、前記遮蔽板をローダーシャーシの
両側板に弾性的に押し付けて係止しているから、ディスクを高速回転することにより生じ
た回転力による振動がローダーシャーシを介して遮蔽板に伝わっても、その振動が各舌片
の弾性変位により吸収され、その遮蔽板が従来のように振動して騒音を発生させることが
なく、ユーザに不快感を与えず、商品価値が高い。
【００１７】
また、ローダーシャーシの各位置決めピンと遮蔽板の各長孔状ガイド孔とにより、その
遮蔽板をローダーシャーシの両側板上に所定通りに載置することができると共に、その各
位置決めピンに沿って遮蔽板を前方に蛇行させることなく直線的に所定通りにスライドさ
せることができる。
【００１８】
請求項２に記載の発明は基本形態に対応するものであって、これによれば、遮蔽板をロ
ーダーシャーシの両側板上に載置して前方にスライドさせるだけで、該遮蔽板の先端縁を
横桁の下にもぐり込ませることができ、これによって、遮蔽板と横桁との間からレーザ光
が漏れるのを確実に阻止することができる。
【００１９】
請求項３に記載の発明によれば、ローダーシャーシの各柱状体で遮蔽板の各舌片の抜止
部を押し下げて該各柱状体を各舌片に弾性的に嵌合させ、これによって、前記遮蔽板をロ
ーダーシャーシの両側板に弾性的に押し付けて係止しているから、ディスクを高速回転す
ることにより生じた回転力による振動がローダーシャーシを介して遮蔽板に伝わっても、
その振動が各舌片の弾性変位により吸収され、その遮蔽板が従来のように振動して騒音を
発生させることがなく、ユーザに不快感を与えず、商品価値が高い。
【００２０】
請求項４に記載の発明によれば、遮蔽板をローダーシャーシの両側板上に載置して前方
にスライドさせることにより、該遮蔽板の各柱状体でローダーシャーシの各舌片の抜止部
を押し上げて該各柱状体を各舌片に弾性的に嵌合させ、これによって、前記遮蔽板をロー
ダーシャーシの両側板に弾性的に押し付けて係止しているから、ディスクを高速回転する
ことにより生じた回転力による振動がローダーシャーシを介して遮蔽板に伝わっても、そ
の振動が各舌片の弾性変位により吸収され、その遮蔽板が従来のように振動して騒音を発
生させることがなく、ユーザに不快感を与えず、商品価値が高い。
【００２１】
請求項５に記載の発明によれば、ローダーシャーシの各位置決めピンと遮蔽板の各長孔
状ガイド孔とにより、その遮蔽板をローダーシャーシの両側板上に所定通りに載置するこ
とができると共に、その各位置決めピンに沿って遮蔽板を前方に蛇行させることなく直線
的に所定通りにスライドさせることができる。
【発明を実施するための最良の形態】
【００２２】
図１〜図６は本発明の第１の実施の形態であるディスク装置を示すものであって、図１
はディスク装置の平面図、図２は同側面図、図３は同縦断面図、図４は同分解斜視図、図
５は同要部の拡大分解斜視図、図６（ａ）（ｂ）は同遮蔽板の係止手順を示す一部切欠き
側面図である。
【００２３】
図１〜図５に示すように、ローダーシャーシ２が合成樹脂により成形されてその各側板
２ａの外側面に複数（この実施の形態では４つ）の角筒状の柱状体（被係合部）２２が前
後方向ａ，ｂに沿って所定間隔をおいて一体突設されている。
【００２４】
図１〜図５に示すように、金属板からなる遮蔽板１６が板金成形されてその両側縁に弾
性変位可能な複数（この実施の形態では４つ）の舌片（係合部）２３が切り残され、該各
舌片２３が、遮蔽板１６から下方に略直角に折り曲げた縦板２３ａと、該縦板２３ａの端
縁から前方ａに略直角に折り曲げた横板２３ｂとにより略Ｌ字状に形成され、該横板２３
ｂの先端部を上方に向けて突出するように略円弧状に折り曲げて抜止部２３ｃが形成され
ている。
【００２５】
図１〜図５に示すように、ローダーシャーシ２の各側板２ａの上面に位置決めピン２４
が一体突設されると共に、遮蔽板１６の両側縁に長孔状ガイド孔２５が前後方向ａ，ｂに
沿って貫設されている。上記以外の構成は図９〜図１１に示す構成とほぼ同じであるから
、同一部分に同一符号を付してその説明を省略する。
【００２６】
遮蔽板１６の係止手順を説明すると、図６（ａ）に仮想線で示すように、遮蔽板１６を
ローダーシャーシ２の上方から降下させることにより、図６（ａ）に実線で示すように、
各ガイド孔２５を各位置決めピン２４に嵌合させて遮蔽板１６をローダーシャーシ２の両
側板２ａ上に載置し、その各位置決めピン２４に沿って遮蔽板１６を前方ａにスライドさ
せることにより、図６（ｂ）に示すように、各柱状体２２で各舌片２３の抜止部２３ｃを
押し下げて該各柱状体２２を各舌片２３に弾性的に係合させ、これによって、各柱状体２
８を縦板２３ａと抜止部２３ｃとで挟持すると共に、その各柱状体２８で横板２３ｂを弾
性的に押し下げ、その押下力Ｆにより遮蔽板１６をローダーシャーシ２の両側板２ａの上
面に弾性的に押し付けて係止すると同時に、その遮蔽板１６の先端縁１６Ａを横桁１２の
下にもぐり込ませる。
【００２７】
上記構成によれば、遮蔽板１６をローダーシャーシ２の両側板２ａ上に載置して前方ａ
にスライドさせるだけで、該遮蔽板１６の先端縁１６Ａを横桁１２の下に所定幅β（図１
参照）だけもぐり込ませることができ、これによって、遮蔽板１６と横桁１２との間から
レーザ光が漏れるのを確実に阻止することができる。
【００２８】
それと同時に、ローダーシャーシ２の各柱状体２２で遮蔽板１６の各舌片２３の抜止部
２３ｃを押し下げて該各柱状体２２を各舌片２３に弾性的に嵌合させ、これによって、前
記遮蔽板１６をローダーシャーシ２の両側板２ａに弾性的に押し付けて係止しているから
、ディスクＤを高速回転することにより生じた回転力による振動がローダーシャーシ２を
介して遮蔽板１６に伝わっても、その振動が各舌片２３の弾性変位により吸収され、その
遮蔽板１６が従来のように振動して騒音を発生させることがなく、ユーザに不快感を与え
ず、商品価値が高い。
【００２９】
また、ローダーシャーシ２の各位置決めピン２４と遮蔽板１６の各長孔状ガイド孔２５
とにより、その遮蔽板１６をローダーシャーシ２の両側板２ａ上に所定通りに載置するこ
とができると共に、その各位置決めピン２４に沿って遮蔽板１６を前方ａに蛇行させるこ
となく直線的に所定通りにスライドさせることができる。
【００３０】
図７及び図８は本発明の第２の実施の形態であるディスク装置を示すものであって、図
７はディスク装置の同要部の拡大分解斜視図、図８（ａ）（ｂ）は同遮蔽板の係止手順を
示す一部切欠き側面図である。
【００３１】
図７に示すように、合成樹脂で成形したローダーシャーシ２の各側板２ａの外側面に複
数（この実施の形態では４つ）の舌片（被係合部）２７が前後方向ａ，ｂに沿って所定間
隔をおいて一体突設され、該舌片２７が、ローダーシャーシ２の各側板２ａに一体突設し
た縦板２７ａと、該縦板２７ａの上端縁から略直角に折り曲げられて後方ｂに延びる弾性
変位可能な横板２７ｂとにより略Ｌ字状に形成され、該横板２７ｂの先端部を下方に向け
て突出するように略円弧状に折り曲げて抜止部２７ｃが形成されている。
【００３２】
図７に示すように、合成樹脂で成形した遮蔽板１６の両側縁に複数（この実施の形態で
は４つ）の柱状体（係合部）２８が一体突設されている。上記以外の構成は第１の実施の
形態（図１〜図６参照）とほぼ同じであるから、同一部分に同一符号を付してその説明を
省略する。
【００３３】
遮蔽板１６の係止手順を説明すると、図８（ａ）に仮想線で示すように、遮蔽板１６を
ローダーシャーシ２の上方から降下させることにより、図８（ａ）に実線で示すように、
各ガイド孔２５を各位置決めピン２４に嵌合させて遮蔽板１６をローダーシャーシ２の両
側板２ａ上に載置し、その各位置決めピン２４に沿って遮蔽板１６を前方ａにスライドさ
せることにより、図８（ｂ）に示すように、各柱状体２８で各舌片２７の抜止部２７ｃを
押し下げて該各柱状体２８を各舌片２７に弾性的に係合させ、これによって、各柱状体２
８を縦板２７ａと抜止部２７ｃとで挟持すると共に、その各柱状体２８を横板２７ｂで弾
性的に押し下げ、その押下力Ｆにより遮蔽板１６をローダーシャーシ２の両側板２ａに弾
性的に押し付けて係止すると同時に、その遮蔽板１６の先端縁１６Ａを横桁１２の下にも
ぐり込ませる。
【００３４】
上記構成によれば、第１の実施の形態（図１〜図６参照）とほぼ同じ効果を得ることが
でき、特に、遮蔽板１６をローダーシャーシ２の両側板２ａ上に載置して前方ａにスライ
ドさせることにより、該遮蔽板１６の各柱状体２８でローダーシャーシ２の各舌片２７の
抜止部２７ｃを押し上げて該各柱状体２８を各舌片２７に弾性的に嵌合させ、これによっ
て、前記遮蔽板１６をローダーシャーシ２の両側板２ａに弾性的に押し付けて係止してい
るから、ディスクＤを高速回転することにより生じた回転力による振動がローダーシャー
シ２を介して遮蔽板１６に伝わっても、その振動が各舌片２７の弾性変位により吸収され
、その遮蔽板１６が従来のように振動して騒音を発生させることがなく、ユーザに不快感
を与えず、商品価値が高い。
【図面の簡単な説明】
【００３５】
【図１】本発明の第１の実施の形態であるディスク装置を示す平面図である。
【図２】同側面図である。
【図３】同縦断面図である。
【図４】同分解斜視図である。
【図５】同要部の拡大分解斜視図である。
【図６】（ａ）（ｂ）は同遮蔽板の係止手順を示す一部切欠き側面図である。
【図７】本発明の第２の実施の形態であるディスク装置を示す要部の拡大分解斜視図である。
【図８】（ａ）（ｂ）は同遮蔽板の係止手順を示す一部切欠き側面図である。
【図９】従来例を示す平面図である。
【図１０】同縦断面図である。
【図１１】同分解斜視図である。
【符号の説明】
【００３６】
２          ローダーシャーシ
２ａ        ローダーシャーシの側板
６          光ピックアップ
７          ターンテーブル
１６        遮蔽板
１６Ａ      遮蔽板の先端縁
２２        柱状体（被係合部）
２３        舌片（係合部）
２３ａ      縦板
２３ｂ      横板
２３ｃ      抜止部
２４        位置決めピン
２５        ガイド孔
２７        舌片（被係合部）
２７ａ      縦板
２７ｂ      横板
２７ｃ      抜止部
２８        柱状体（係合部）
Ｄ          ディスク
【図１】
2008108348.tif 000003
【図２】
2008108348.tif 000004
【図３】
2008108348.tif 000005
【図４】
2008108348.tif 000006
【図５】
2008108348.tif 000007
【図６】
2008108348.tif 000008
【図７】
2008108348.tif 000009
【図８】
2008108348.tif 000010
【図９】
2008108348.tif 000011
【図１０】
2008108348.tif 000012
【図１１】
2008108348.tif 000013